(57)【要約】      （修正有）【課題】スタイルや生活様式に応じて、より便利なふんどしを提供する。【解決手段】紐１０１，１０２とベース布１０３とを備えたふんどし１００であって、ベース布１０３は、紐通し１０５と前垂れ１０４の両方を前方側端部に備え、後方側端部で、紐１０１，１０２を係止することを特徴とするふんどし。このふんどしは、ベースとなる布の前方端部に、紐通し１０５と前垂れ１０４の両方が設けられ、後方端部からの紐１０１を通したり、紐１０１に前垂れを引っかけたりできるため、装着者は、気分や用途に応じて、越前スタイルともっこスタイルのいずれかを自由に選択することができる。【選択図】図１
0003188290.tif 000002
【実用新案登録請求の範囲】
【請求項１】
紐とベース布とを備えたふんどしであって、
前記ベース布は、紐通しと前垂れの両方を一端に備え、他端で、紐を係止することを特徴とするふんどし。
【請求項２】
前記ベース布の端部を押し返して縫い目を入れることで、紐通しと前垂れの両方を形成していることを特徴とする請求項１に記載のふんどし。
【請求項３】
前記ベース布は、前記他端においても紐通しを備え、紐通しに紐を通してベース布と紐とが自由度高く係合していることを特徴とする請求項１または２に記載のふんどし。
【請求項４】
前記紐には、フリルが施されていることを特徴とする請求項１乃至３のいずれか１項に記載のふんどし。
【請求項５】
前記前垂れは、装着したときに股まで垂れ下がらない長さに形成されていることを特徴とする請求項１乃至４のいずれか１項に記載のふんどし。
【考案の詳細な説明】
【技術分野】
【０００１】
本考案は、ふんどしに関する。
【背景技術】
【０００２】
上記技術分野において、特許文献１には、腹帯と前袋を組み合わせて留め具でとめたふんどしが開示されている。
【０００３】
また、特許文献２には、腹部止めベルトに対して、帯状布を係着して、越中ふんどしを構成する技術が開示されている。
【０００４】
さらに、特許文献３には、越中ふんどしの布の中央部に先端を有する形状に裁って縫合した端縁部を有する越中ふんどしが開示されている。
【先行技術文献】
【特許文献】
【０００５】
【特許文献１】特開平１０−２９２２０２号公報
【特許文献２】特開２００４−１３１９０９号公報
【特許文献３】実開平３−１２５００２号公報
【考案の概要】
【考案が解決しようとする課題】
【０００６】
しかしながら、上記文献に記載の技術では、越中ふんどしなら越中ふんどしとして使用するしかなく、もっこふんどしを利用したい場合には改めて他の製品を購入する必要があった。
【０００７】
本考案の目的は、上述の課題を解決する技術を提供することにある。
【課題を解決するための手段】
【０００８】
上記目的を達成するため、
紐とベース布とを備えたふんどしであって、
前記ベース布は、紐通しと前垂れの両方を一端に備え、他端で、紐を係止することを特徴とする。
ここで、前記ベース布の端部を押し返して縫い目を入れることで、紐通しと前垂れの両方を形成していることも好適である。
ここで、前記ベース布は、前記他端においても紐通しを備え、紐通しに紐を通してベース布と紐とが自由度高く係合していることも好適である。
前記紐に、フリルが施されていることも好適である。
前記前垂れが、装着したときに股まで垂れ下がらない長さに形成されていることことも好適である。
【考案の効果】
【０００９】
本考案によれば、より便利にふんどしを利用することができる。
【図面の簡単な説明】
【００１０】
【図１】本考案の第１実施形態に係るふんどしの構成を示す図である。
【図２】本考案の第１実施形態に係るふんどしの構成を示す図である。
【図３】本考案の第２実施形態に係るふんどしの構成を示す図である。
【図４】本考案の第２実施形態に係るふんどしの構成を示す図である。
【図５】本考案の第３実施形態に係るふんどしの構成を示す図である。
【考案を実施するための形態】
【００１１】
以下に、図面を参照して、本考案の実施の形態について例示的に詳しく説明する。ただし、以下の実施の形態に記載されている構成要素はあくまで例示であり、本考案の技術範囲をそれらのみに限定する趣旨のものではない。なお、本明細書中「ふんどし」とは、腰回りに紐を回して結び、その紐に対して、布を係合させることによって、腰回りを隠す下着をいう。パンドルショーツ、サムライパンツ、トラディショナルパンツなどの別名で呼ばれることもある。
【００１２】
［第１実施形態］
本考案の第１実施形態としてのふんどし１００について、図１および図２を用いて説明する。
【００１３】
図１において、ふんどし１００は、紐１０１、１０２と、ベース布１０３とを備える。ベース布１０３は、トロフィー型（上下をカットしたひょうたん型）の布であり、上下方向中央部にはくびれが形成されている。
【００１４】
また、ベース布１０３の前側端部は、表側に折り返され、前垂れ１０４を形成している。さらに、その折り返し端部から、一定の間隔（例えば２ｃｍ）を空けて、縫い目（折り目）１０６が設けられ、これにより、紐１０１を通すための紐通し１０５が形成される。縫い目１０６は、紐通し１０５を形成する機能の他に、前垂れ１０４を上下に折り返すための折り目としての機能を有している。
【００１５】
紐１０１、１０２は、ベース布１０３の後ろ側に固定されており、紐１０１は紐１０２よりも長くなっている。
【００１６】
前垂れ１０４は、一般的な越中ふんどしの前垂れと比べてかなり小さく形成されており、装着したときに股まで垂れ下がらず、前飾りのように見えるサイズとなっている。すなわち、前側端部から前垂れの下端（図中上端）までの長さは、前側端部からくびれ（装着時の足間）までの長さよりも短く形成されている。
さらに、前垂れ１０４自体が、大きな紐通しとしても機能する。つまり、前垂れ１０４は、２枚の布を縫い合わせた構造になっており、その布の間に紐を挿入できる。紐通し１０５を用いる場合と同様もっこスタイルで使用できるが、紐通し１０５を用いる場合に比べて、紐の入り口および出口が大きくなっているため、手でも簡単に右から左へ（あるいは左から右へ）紐を通すことができる。さらに、前垂れ１０４に、紐通しの袋（輪）を作ることで、前垂れ１０４に重みができ、より、前垂れの反返りを防止する効果もある。もちろん、前垂れの先端に面ファスナーやボタンをつけておけば、前垂れの反返りや抜け落ちを確実に防止することができる。しかし、化学繊維等を肌につけたくない、下着に凸凹をつけたくない等のふんどしユーザの要望に応じて、本考案では、ふんどしに面ファスナーやボタン、ホックなど素材を使わずに、小さな前垂れのデメリットをなくす工夫を行なっている。
【００１７】
（越中スタイル）
ふんどし１００を越中ふんどしスタイルで使用する場合には、図１の下方左側に示したような方法で装着する。つまりまずは、装着者の後方（尻側）に、ふんどし１００の裏面の後ろ側をあて、２つの紐１０１、１０２を装着者前方に回し、装着者側方（図では正面向かって右側）で紐１０１、１０２を結ぶ。この時点で、前側端部は、装着者の後方で垂れ下がっているため、股の間からその端部をつまんで前にまわし、前垂れ１０４を折り目１０６で折りあげて、結んだ紐１０１、１０２と胴体との間の隙間に通す。次に、前垂れ１０４を、折り目１０６で折り返して前方に引っかける。これにより、ベース布１００で、装着者の腰回りの前方および後方をカバーすることができる。
【００１８】
（もっこスタイル）
一方、ふんどし１００をもっこスタイルで使用する場合には、図１の下方右側に示したような方法で装着する。つまりまずは、体から離間した状態で紐１０１を、紐通し１０５または前垂れ１０４に通す。前垂れ１０４は、手で紐１０１を通せるように、大きめに袋縫いされている。
前垂れ１０４または紐通し１０５を通過した紐１０１の端部を、紐１０２に結びつけることで、ショーツの形状となり、この状態で両足を通して装着する。
【００１９】
（装着状態）
図２は、越中スタイルおよびもっこスタイルでふんどし１００を装着した状態での前後面の外観を示す図である。
【００２０】
越中スタイルの場合、２０１に示すとおり、前垂れ１０４を紐１０１にかけた状態になる。このとき、紐通し１０５の存在によって、前垂れ１０４は、紐１０１から抜け落ちにくくなる。一方、用を足す場合には、前垂れ１０４を抜けばよいだけなので、非常に簡便である。
【００２１】
一方、もっこスタイルの場合、２０２に示すとおり、越中スタイルとほぼ同じ見た目ではあるが、紐通し１０５に紐が通されているので、一般的なショーツと同じ扱いになる。つまり、基本的に、調整時以外は紐をほどく必要は無く、このままの形で、一般的なショーツと同様に足を抜いて着脱する。
【００２２】
いずれにしても後面は、２０３に示すとおり同じ外観になる。
【００２３】
以上、本実施形態によれば、同じふんどし１００を、越中スタイルともっこスタイルの二通りに使用することができ、装着者の気分や好み、服装、生活様式に応じて、スタイルを変えることができる。装着者に対して非常に自由度の高いふんどしスタイルを提供することができる。  例えば、パンツスタイルやストッキング着用時に、アウターに厚みが出ないのはもっこスタイルだが、トイレでひもをほどく手間がかかるというデメリットがある。本実施形態によれば、アウターに厚みをださないという、もっこスタイルのメリットを維持したまま、越中のような着脱方法ができる。
【００２４】
［第２実施形態］
図３は、本考案の第２実施形態としてのふんどし３００の外観を示す図である。本実施形態では、紐３０１、３０２の結び目以外の部分に、フリル３０３をあしらっている。これにより、図４に示すとおり、もっこスタイルでのふんどし装着時に、一般的なショーツと同様の外観になる。サイドの布がないことでふんどしに抵抗を感じるふんどし初心者にとって、抵抗なく使用できるデザインになっている。さらに、ベース布３０４は、前後対称となっており、パンツのように前後がないため、左右どちらで結ぶかを利き手などに応じて選ぶことができる。
【００２５】
［第３実施形態］
図５は、本考案の第３実施形態としてのふんどし５００の外観を示す図である。第１実施形態では、ベース布１０３の左右に二本の紐１０１、１０２が縫い付けられていたが、本実施形態では紐５０１は繋がった一本の紐であり、それが、ベース布５０３の後ろ側端部に形成された紐通し５０２に通されて左右からその両端部が出ている。
【００２６】
その他の構成および装着方法は、第１実施形態と同様であるためここでは同じ構成に同じ符号を付して、その説明を省略する。
【００２７】
紐通し５０２から出た紐５０１の左右には、それぞれに襞部分５１１、５１２が形成されている。また、紐通し５０２の表面（体と接触しない面）には、少なくとも２つの切れ目（図では６つの切れ目）５２１が設けられている。これらの、襞部分５１１、５１２および切れ目５２１（図では６つ）の存在により、洗濯時などに紐５０１が紐通し５０２から抜け落ちることを防止できる。
ここでは、襞部分５１１、５１２を設けているが、紐５０１の左右両側に一つずつボタンを縫い付けてもよい。
【００２８】
以上の構成によれば、紐５０１が、紐通し５０２を通ってある程度自由に動く。そのため、ベース布５０３から伸びる紐５０１の左右のバランスを自由に変えることができる。つまり、左側を長くしたり、右側を長くしたり、左右同じ長さにしたりすることができる。このため、体の利き手側の側面で結び目を作ったり、あるいは、体の正面で結び目を作ったりすることができる。
【００２９】
越中スタイルの場合に、体の正面で結び目を作って前垂れ１０４で隠す方法もあるし、前側の紐通し１０５にもスリットを設けて、もっこスタイルでも体の正面で結び目を作ることができる構成としてもよい。
【００３０】
以上、本実施形態によれば、よりユーザフレンドリーなデザイン性に富んだふんどしを提供することができる。
【００３１】
［他の実施形態］
以上、実施形態を参照して本願考案を説明したが、本願考案は上記実施形態に限定されるものではない。本願考案の構成や詳細には、本願で実用新案登録請求の範囲内で当業者が理解し得る様々な変更をすることができる。
【図１】
0003188290.tif 000003
【図２】
0003188290.tif 000004
【図３】
0003188290.tif 000005
【図４】
0003188290.tif 000006
【図５】
0003188290.tif 000007
【手続補正書】
【提出日】平成25年11月12日(2013.11.12)
【手続補正１】
【補正対象書類名】実用新案登録請求の範囲
【補正対象項目名】請求項２
【補正方法】変更
【補正の内容】
【請求項２】
前記ベース布の端部を折り返して縫い目を入れることで、紐通しと前垂れの両方を形成していることを特徴とする請求項１に記載のふんどし。